(57)【要約】【課題】磁気記録面に対する追従性を高めた磁界変調ヘッドを提供する。【解決手段】記録媒体（光磁気ディスク１２）に摺接させるスライダ４をサスペンションアーム２２、２４によって支持する磁界変調ヘッド２であって、前記スライダと前記サスペンションアームとの間に制振部材（振動吸収板３４）を介在させて両者を固定している。かかる構成によれば、磁気記録媒体の磁気記録面に対する磁界変調ヘッドの追従性を高めることができ、記録の安定性を高め、ジャンピングによる記録面の損傷を防止することができる。【選択図】        図１
2004303360.tif 000002
【特許請求の範囲】
【請求項１】
記録媒体に摺接させるスライダをサスペンションアームによって支持する磁界変調ヘッドであって、
前記スライダと前記サスペンションアームとの間に制振部材を介在させて両者を固定したことを特徴とする磁界変調ヘッド。
【請求項２】
記録媒体に摺接させるスライダをサスペンションアームによって支持する磁界変調ヘッドであって、
前記スライダに形成された突起部と、
前記サスペンションアームに形成されて前記突起部と嵌合させる嵌合部と、
前記突起部を挿入する挿入孔を備えて前記スライダと前記サスペンションアームとの間に設置される振動吸収部材と、
を備えたことを特徴とする磁界変調ヘッド。
【請求項３】
前記スライダと前記サスペンションアームとを固定する樹脂を備えたことを特徴とする請求項２記載の磁界変調ヘッド。
【発明の詳細な説明】
【０００１】
【発明の属する技術分野】
本発明は、ＭＯやＭＤ等の記録媒体に摺接させるスライダをサスペンションアームによって支持させた磁界変調ヘッドに関する。
【０００２】
【従来の技術】
従来、スライダを光磁気媒体の一面に所定の接触圧をもって摺接させる磁界変調ヘッドは、例えば、図４の（Ａ）及び（Ｂ）に示す構造である。図４の（Ａ）は磁界発生部分の平面図であり、図４の（Ｂ）はそのＩＶＢ−ＩＶＢ線断面図である。磁界発生部１００が搭載されたスライダ１０２にはサスペンションアーム１０４が取り付けられ、バネ弾性を持つサスペンションアーム１０４でスライダ１０２が支持されている。磁界発生部１００はコア１０６及びコイル１０８を備え、そのコア面１１０はスライダ１０２とともに光磁気ディスク１０６の記録面に摺接される。このような光磁気記録用の磁界変調ヘッドには、次のような特許文献が存在している。
【０００３】
【特許文献１】
特開平６─３４９１３６号公報
【０００４】
この特許文献１には、バネ弾性を持つサスペンションアームにてスライダを支持する構造が開示されている。
【０００５】
【発明が解決しようとする課題】
ところで、光磁気記録装置においては、記録速度のさらなる高速化の要請があり、光磁気ディスク等の記録媒体をより高速で回転し、記録することが求められている。そして、光磁気ディスクが高速回転するようになると、次のような問題が発生する。光磁気ディスクの記録面は完全に平坦なものではなく、凹凸を有する。このような凹凸は一定の規格内に納められているものの、完全に平坦なものとすることは実質的に困難である。また、光磁気ディスクの記録面に異物が付着している場合もある。
【０００６】
ところが、スライダは、光磁気ディスクに接触しており、光磁気ディスクの記録面の凹凸に応じて上下動している。サスペンションアームは、この上下動を吸収し、光磁気ディスクの記録面に対し、一定の圧力をもって接触する機能を有するものであるが、光磁気ディスクの回転の高速化により、スライダの上下動が激しくなると、スライダが記録面から離脱する（ジャンピング）おそれがあり、その反動でスライダが記録面にたたきつけられる現象が生じる。即ち、磁界変調ヘッドの追従性の欠如の問題である。ジャンピングが発生した部分では、記録できなくなるとともに、スライダがたたきつけられると、記録面を損傷させるおそれがある。
【０００７】
そこで、本発明にあっては、磁気記録面に対する追従性を高めた磁界変調ヘッドを提供することを目的とする。
【０００８】
【課題を解決するための手段】
上記目的を達成するため、本発明の磁界変調ヘッドは、記録媒体（光磁気ディスク１２）に摺接させるスライダ４をサスペンションアーム２２、２４によって支持する磁界変調ヘッド２であって、前記スライダと前記サスペンションアームとの間に制振部材（振動吸収板３４）を介在させて両者を固定したものである。
【０００９】
係る構成とすれば、記録媒体に摺接させるスライダに生じる振動は、制振部材を介しているため、この制振部材で吸収された後、サスペンションアームに伝わるので、スライダの記録面からの離脱が防止される。
【００１０】
上記目的を達成するため、本発明の磁界変調ヘッドは、記録媒体（光磁気ディスク１２）に摺接させるスライダ４をサスペンションアーム２２、２４によって支持する磁界変調ヘッド２であって、前記スライダに形成された突起部３０と、前記サスペンションアームに形成されて前記突起部を嵌合させる嵌合部３２と、前記突起部を挿入する挿入孔３６を備えて前記スライダと前記サスペンションアームとの間に設置される振動吸収部材（振動吸収板３４）とを備えた構成としてもよい。
【００１１】
係る構成とすれば、スライダがその突起部を介してサスペンションアームに固定されて支持されており、その固定部分に振動吸収部材が設置されているので、スライダに生じる振動が振動吸収部材で吸収されてサスペンションアームに伝わるので、スライダの記録面からの離脱が防止される。
【００１２】
上記目的を達成するためには、前記スライダと前記サスペンションアームとを固定する樹脂３８を備えた構成としてもよい。スライダとサスペンションアームとの結合は、スライダの突起部とサスペンションアームの嵌合部との嵌合により行われるが、樹脂を備えたことにより、両者の結合強度が高められる。
【００１３】
【発明の実施の形態】
（第１の実施形態）
本発明の第１の実施形態に係る磁界変調ヘッドを図１を参照して説明する。図１の（Ａ）は、磁界発生部の平面図、図１の（Ｂ）はそのＩＢ−ＩＢ線断面図を示している。
【００１４】
この磁界変調ヘッド２のスライダ４は例えば、樹脂によって形成された成形体であって、その後部側には磁界発生部６が搭載されている。この磁界発生部６はＥ字形のコア８にコイル１０を巻回したものである。スライダ４の先端部側及び中間部側の下面部にはＭＯやＭＤ等の記録媒体である光磁気ディスク１２に摺接する突部１４、１６が形成され、磁界発生部６のコア面１８はこれら突部１４、１６より僅かに後退させて、コア面１８と光磁気ディスク１２の記録面２０との間には僅かに隙間が生じる構成である。
【００１５】
このように、磁界発生部６が搭載された樹脂製のスライダ４を弾性的に支持する手段として一対のサスペンションアーム２２、２４が用いられている。このように２枚のサスペンションアーム２２、２４が用いられているのは、スライダ４を左右でバランスよく支持するとともに、コイル１０から引き出されたリード２６、２８に接続されてコイル電流の回路を構成するためである。そこで、これらサスペンションアーム２２、２４は優れた弾性及び導電性を備えた材料として例えば、リン青銅板が用いられている。
【００１６】
スライダ４の先端側の上面部にはスライダ４と一体に突起部３０が形成されており、この実施形態では円柱状の突起部３０が形成されている。この突起部３０はスライダ４とサスペンションアーム２２、２４とを合体させる手段であって、この突起部３０に嵌合させてサスペンションアーム２２、２４を取り付けるため、各サスペンションアーム２２、２４の先端側には嵌合部３２が形成されている。この嵌合部３２は、この実施形態の場合、円柱状の突起部３０に対応するため、各サスペンションアーム２２、２４に形成された半円形状の切欠部で構成されている。
【００１７】
また、スライダ４の上面には制振部材としての振動吸収板３４が設置されている。この振動吸収板３４には挿入孔３６が形成されており、この挿入孔３６に突起部３０が挿入されている。従って、この実施形態では、突起部３０の周囲部に振動吸収板３４が設置されている。制振部材としての振動吸収板３４は、ゴム等の弾性部材やポリイミド系樹脂等の軟質樹脂が好適である。振動吸収板３４は、スライダ４と独立した板状材である必要はなく、印刷や塗布等により、膜状であってもよい。
【００１８】
そして、振動吸収板３４が設置されたスライダ４には、各サスペンションアーム２２、２４の嵌合部３２を突起部３０の根元側にその突起部３０を挟み込むように嵌合させ、その上から接着性の高い樹脂３８をポッティング処理し、サスペンションアーム２２、２４の嵌合部３２と突起部３０とを結合させ、サスペンションアーム２２、２４の先端側にスライダ４が振動吸収板３４を介在させて取り付けられている。また、各サスペンションアーム２２、２４には、コイル１０から引き出されたリード線２６、２８の先端部がはんだ４０によって電気的に接続されている。また、各サスペンションアーム２２、２４の基端部側は図示しない支持部材に固定されている。
【００１９】
このような構成によれば、サスペンションアーム２２、２４とスライダ４との間に、制振部材である振動吸収板３４を介在させたので、回転する光磁気ディスク１２に摺接するスライダ４に振動が加わった際に、その振動を振動吸収板３４に吸収させ、スライダ４が光磁気ディスク１２の記録面２０から離脱する等の不都合が防止され、優れた追従性が得られ、安定した周回状態が実現する。
【００２０】
（第２の実施形態）
次に、本発明の第２の実施形態に係る磁界変調ヘッドを図２を参照して説明する。図２の（Ａ）は、磁界発生部分の平面図、図２の（Ｂ）はそのＩＩＢ−ＩＩＢ線断面図を示している。
【００２１】
第１の実施形態では、コイル１０のリード線２６、２８をはんだ４０を用いてサスペンションアーム２２、２４に接続し、リード線２６、２８の接続部をサスペンションアーム２２、２４側に設定したが、第２の実施形態では、制振部材である振動吸収板３４に印刷や金属板等で接続端子４２、４４が形成され、各接続端子４２、４４にリード線２６、２８がはんだ４０や導電性接着材を用いて接続されているとともに、サスペンションアーム２２、２４が接続されている。この場合、振動吸収板３４が接続端子４２、４４を形成した端子板としても構成されており、振動吸収板３４にはサスペンションアーム２２、２４がはんだ４０又は導電性接着材で機械的に固着されている。この結果、サスペンションアーム２２、２４との一体化により、振動吸収板３４の移動を防止できる。従って、この磁界変調ヘッド２によれば、優れた追従性が得られ、安定した周回状態を実現することができる。
【００２２】
（実験結果）
次に、本発明に係る磁界変調ヘッドの実験結果を図３を参照して説明する。図３の（Ａ）は本発明品のディスク追従性の測定結果を示す図、図３の（Ｂ）は従来品のディスク追従性の測定結果を示す図である。
【００２３】
本発明品及び従来品に係る磁界変調ヘッドについて、記録媒体に当接及び離脱を繰り返した際の時間軸に対するコアの移動を測定した。各図３の（Ａ）及び（Ｂ）において、正弦曲線のように描かれている上端のピーク部分は磁界変調ヘッドが最上部まで来ている場合を示し、下端のピーク部分は磁界変調ヘッドが記録媒体に当接している状態を示している。図３の（Ａ）及び（Ｂ）の比較から明らかなように、本発明に係る磁界変調ヘッド２では、記録媒体に対してスムーズに当接しているのに対し、従来品の磁界変調ヘッドは、記録媒体に当接した後に、磁界変調ヘッドが記録媒体から離れる場合（ジャンピング）があることを示している。このような相違から振動吸収板３４を設置したことにより、ジャンピングが防止されることを確認することができる。
【００２４】
【発明の効果】
以上説明したように、本発明によれば、磁気記録媒体の磁気記録面に対する磁界変調ヘッドの追従性を高めることができ、記録の安定性を高め、ジャンピングによる記録面の損傷を防止することができる。
【図面の簡単な説明】
【図１】本発明の第１の実施形態に係る磁界変調ヘッドを示し、（Ａ）は磁界発生部の平面図、（Ｂ）はそのＩＢ−ＩＢ線断面図である。
【図２】本発明の第２の実施形態に係る磁界変調ヘッドを示し、（Ａ）は磁界発生部分の平面図、（Ｂ）はそのＩＩＢ−ＩＩＢ線断面図である。
【図３】磁界変調ヘッドの追従性を示し、（Ａ）は本発明に係る磁界変調ヘッドの追従性を示す図、（Ｂ）は従来の磁界変調ヘッドの追従性を示す図である。
【図４】従来の磁界変調ヘッドを示し、（Ａ）はヘッド部分の平面図、（Ｂ）はそのＩＶＢ−ＩＶＢ線断面図である。
【符号の説明】
２  磁界変調ヘッド
４  スライダ
６  磁界発生部
８  コア
１０  コイル
１２  光磁気ディスク（記録媒体）
２２、２４  サスペンションアーム
３０  突起部
３２  嵌合部
３４  振動吸収板（制振部材、振動吸収部材）
３６  挿入孔
３８  樹脂
【図１】
2004303360.tif 000003
【図２】
2004303360.tif 000004
【図３】
2004303360.tif 000005
【図４】
2004303360.tif 000006